(57)【特許請求の範囲】
【請求項１】
公衆網と、収容した内線電話機とを交換接続させ、前記公衆網を収容する第１のパッケージと、前記内線電話機を収容する第２のパッケージとを搭載し、前記第１のパッケージおよび前記第２のパッケージに対して、スケジューラとパッケージ種別とパッケージの処理状態とに応じた省電力制御を行なう電話交換機において、
前記第１のパッケージおよび前記第２のパッケージは、内部電源生成回路と、該内部電源生成回路のｏｆｆ／ｏｎ制御を行なう電源切り替え回路とを備え、
前記電源切り替え回路は、当該パッケージの外部から電源供給されていることを特徴とする電話交換機。
【請求項２】
請求項１に記載の電話交換機であって、
前記第１のパッケージに対して、省電力制御を開始する前に、前記公衆網に対して閉塞通知を送信することを特徴とする電話交換機。
【発明の詳細な説明】
【技術分野】
【０００１】
本発明は、電話交換機および電話交換機システムに係り、内蔵スケジュール（週間スケジューラ、年間スケジューラ）機能およびビル管理システムと連動し、電話交換機に収容しているパッケージ（端末インタフェース・パッケージ（ライン・トランクパッケージ））の電源をｏｆｆ／ｏｎすることで交換機の省電力化を図り、また、電源をｏｆｆ／ｏｎ時に電話交換機の機能を活用し、その状態を周辺機器へ通知を行なう電話交換機および電話交換機システムに関する。
【背景技術】
【０００２】
本技術分野の背景技術として、特許文献１がある。この公報には、中央処理装置とライン・トランク制御装置とをシェルフ単位に分割し、ライン・トランクのシェルフ単位に昼間、夜間モード（時間）単位に電源の投入・切断を自動的に制御すると記載されている。
【先行技術文献】
【特許文献】
【０００３】
【特許文献１】特開昭６３−２２６１９５号公報
【発明の概要】
【発明が解決しようとする課題】
【０００４】
特許文献１に記載の電話交換機のシステムにおいては、中央処理装置とライン・トランク制御装置とをシェルフ単位に分割し、これらの各シェルフ単位にそれぞれ独立した電源装置を設けると共に、これらの各シェルフの電源装置と電源供給装置との間に、各シェルフ単位毎に電源の投入・切断を制御する電源制御装置を設ける構成であった。
【０００５】
そのため、消費電力を低減させるためには、中央制御装置用シェルフと、電源を切断するライン・トランク用シェルフと、電源を切断しないライン・トランク用シェルフといった、専用のシェルフを必要とした。そのため、シェルフの個数が増加し、それに伴いシステム価格も増加していた。
【０００６】
また、電源を切断するライン・トランク用シェルフ、電源を切断しないライン・トランク用シェルフにシステム仕様通りにライン・トランクパッケージを搭載する必要があった。これは、ライン・トランクパッケージを誤って収容すると、省エネの効果が発揮できない場合も生じる。また、昼・夜間モード時間単位切替えの場合も、当該時間になっても在籍する人がいる場合、急に使用できない等サービス低下につながる虞がある。
【０００７】
本発明は、これら電話交換機の省電力化に関する問題点を解決することにあり、専用のシェルフを用いることなく、パッケージ単位で、かつ、パッケージの使用状況に応じた省電力化を行なう交換システムを提供することを目的とする。
【課題を解決するための手段】
【０００８】
本発明に係る電話交換機は、公衆網と、収容した内線電話機とを交換接続させ、公衆網を収容するパッケージや内線電話機を収容するパッケージを搭載し、当該パッケージに対してスケジューラに応じた省電力制御を行なうとともに、パッケージ種別若しくはパッケージの処理状態に応じた省電力制御を行なう。
【０００９】
具体的には、中央処理制御部（コールサーバ部）、ライン・トランク制御部、各機能のライン・トランク パッケージが１つのシェルフに収容する構成であっても、制御部であるコールサーバ部、ライン・トランク制御部、ライン・トランク パッケージの制御部とのｉ／ｆ回路部は、電源ｏｆｆをせず常に供給し続ける。この一部以外のライン・トランク パッケージの電源をｏｆｆ／ｏｎするようにした。
【００１０】
また、コールサーバ部は、ライン・トランク パッケージ毎に設定可能なスケジューラを管理し、電源ｏｆｆ／ｏｎをする。更に、ビル管理システムと連動することでフロア利用に関する接点情報の検出をすることで設定されたスケジュールだけではなく、フロア利用状態に合わせた運用を可能とするものである。
【００１１】
更に、コールサーバ部は搭載されたライン・トランク パッケージのスロットと種別を監視することで、電源ｏｆｆ／ｏｎ機能をすることで運用に支障があるライン・トランクパッケージについては、内蔵スケジューラに設定されたとしても、電源ｏｆｆ／ｏｎ機能を対象外とするようにした。
【００１２】
上述した課題は、公衆網と、収容した内線電話機とを交換接続させる電話交換機において、公衆網を収容する第１のパッケージと、内線電話機を収容する第２のパッケージとを搭載し、第１のパッケージおよび第２のパッケージに対して、スケジューラとパッケージ種別とパッケージの処理状態とに応じた省電力制御を行なう電話交換機により、達成できる。
【００１３】
また、中央処理制御部とライン・トランク制御部と複数のライン・トランク パッケージとを１つのシェルフに収容する電話交換機と、当該電話交換機を設置する建屋管理システムとから構成される電話交換機システムにおいて、電話交換機は、ライン・トランク パッケージのスロット情報と、識別コード情報と、電源制御情報とを監視し、ライン・トランク パッケージに接続される端末に応じて、内蔵スケジューラおよび建屋管理システムが供給するフロア利用状況に基づいて、ライン・トランク パッケージの電源ｏｆｆ／ｏｎの制御を行なう電話交換機システムにより、達成できる。
【発明の効果】
【００１４】
本発明によれば、専用のシェルフを用いることなく、パッケージ単位で、かつ、パッケージの使用状況に応じた省電力化を行なう電話交換機および電話交換機システムを提供できる。
【図面の簡単な説明】
【００１５】
【図１】電話交換機システムおよび電話交換機の構成を説明するブロック図である。
【図２】管理テーブルを説明する図である。
【図３】内蔵スケジューラの週間スケジュールを説明する図である。
【図４】内蔵スケジューラの年間スケジュールを説明する図である。
【図５】ライン・トランク パッケージの電源制御を説明するブロック図である。
【図６】Ｌ／Ｔ（８回路２Ｗディジタル無線）の電源ｏｆｆ／ｏｎのシーケンス図である。
【図７】Ｌ／Ｔ（１６回路ＭＦＴ）の電源ｏｆｆ／ｏｎのシーケンス図である。
【図８】Ｌ／Ｔ（８回路局線）の電源ｏｆｆ／ｏｎのシーケンス図である。
【発明を実施するための形態】
【００１６】
以下、本発明の実施形態について、実施例を用い図面を参照しながら詳細に説明する。なお、実質同一部位には、同じ参照番号を振り、説明は繰り返さない。
【実施例１】
【００１７】
実施例１を用いて、電話交換機に搭載するパッケージ種別を監視し、設定された内蔵スケジューラおよびビル管理システムと連動し、パッケージの電源をｏｆｆする機能を説明する。
【００１８】
図１を参照して、電話交換機システムの構成を説明する。図１において、電話交換機システム１００は、電話交換機１と、電源部２１と、多機能電話機（ＭＦＴ：Multi−Function Telephone）５と、ＰＨＳ（Personal Handy Phone）基地局（ＢＳ：Base Station）８と、ＰＨＳ９と、ナースコールシステム１１と、公衆網１３と、ビル管理システム１９と、ユーザフロア２０とを含む。
【００１９】
電話交換機１は、中央処理制御部（コールサーバ部）２、ライン・トランク制御部（ＬＴＭ部）３およびその配下に複数の端末、回線を収容するライン・トランク パッケージから構成される。ライン・トランク パッケージは、Ｌ／Ｔ（１６回路ＭＦＴ）４と、Ｌ／Ｔ（８回路２Ｗディジタル無線）７と、Ｌ／Ｔ（８回路ナースコール）１０と、Ｌ／Ｔ（音声案内・録音再生）１２と、Ｌ／Ｔ（８回路局線）１４と、Ｌ／Ｔ（１２回路ＩＳＤＮ）１５と、Ｌ／Ｔ（１．５Ｍ局線）１６と、Ｌ／Ｔ（４回路停電切替）１７と、Ｌ／Ｔ（外部接点駆動・検出）１８とがある。
【００２０】
Ｌ／Ｔ（１６回路ＭＦＴ）４は、多機能電話機（ＭＦＴ）５を収容する。Ｌ／Ｔ（１６回路ＭＦＴ）４は、電源制御の有効・無効の設定を各々することができる。なお、ここでは電源制御有効パッケージを４−１、電源制御無効パッケージを４−２と設定している。
【００２１】
Ｌ／Ｔ（８回路２Ｗディジタル無線）７は、ＢＳ８および構内ＰＨＳ９を収容する。Ｌ／Ｔ（８回路ナースコール）１０は、ナースコールシステム１１を収容する。Ｌ／Ｔ（音声案内・録音再生）１２は、音声ガイダンス案内、録音再生を行なう。Ｌ／Ｔ（８回路局線）１４は、公衆網１３に接続するアナログ端末を収容する。Ｌ／Ｔ（１２回路ＩＳＤＮ）１５およびＬ／Ｔ（１．５Ｍ局線）１６は、ディジタル端末を収容する。Ｌ／Ｔ（４回路停電切替）１７は、局線を直通電話機に切替える。Ｌ／Ｔ（外部接点駆動・検出）１８は、ビルのフロア２０の照明監視などビル管理システム１９からの情報を検出する。
【００２２】
電話交換機１は、１つのシェルフ内に最大１６枚のＬ／Ｔパッケージが収容可能である。電源部２１は、電話交換機の各部に電源を供給する。Ｌ／Ｔ（８回路２Ｗディジタル無線）７と、Ｌ／Ｔ（８回路局線）１４とは、電源制御有効パッケージである。Ｌ／Ｔ（１２回路ＩＳＤＮ）１５と、Ｌ／Ｔ（１．５Ｍ局線）１６とは、電源制御無効パッケージである。また、Ｌ／Ｔ（８回路ナースコール）１０と、Ｌ／Ｔ（音声案内・録音再生）１２と、Ｌ／Ｔ（４回路停電切替）１７と、Ｌ／Ｔ（外部接点駆動・検出）１８とは、電源制御対象外パッケージである。
【００２３】
図２を参照して、中央処理制御部２が管理するライン・トランク パッケージのスロット位置（収容位置）情報とそのスロットに収容されているパッケージの識別コードおよび電源制御の有効／無効を管理する管理テーブルを説明する。図２において、管理テーブル２００は、スロット位置２０１と、品名２０２と、品名識別コード２０３と、電源制御２０４とを含む。
【００２４】
中央処理制御部２は、ライン・トランク パッケージがシェルフに搭載されると、シェルフのスロット位置情報、ライン・トランク パッケージの種別（識別コード）、電源制御の有効、無効情報を認識し、管理テーブル２００を作成する。
【００２５】
図３を参照して、内蔵スケジューラ機能の１つで、スロット毎に設定することが可能なスロット０用の週間スケジューラを説明する。図３において、スロット０に挿入された１６回路ＭＴＦ用のＬ／Ｔパッケージは、曜日と時刻のマトリックスで指定された休日と夜間ｏｆｆとなる。週刊スケジューラにより、曜日、時間帯で電源ｏｆｆ／ｏｎを自由に設定することを可能としている。
【００２６】
図４を参照して、１つの内蔵スケジューラ機能であるスロット毎に設定することが可能なスロット９用の年間スケジューラを説明する。図４において、年間スケジューラは、日付と、種別と、モードとを含む。年間スケジューラは、週間や時間の単位ではなく、１日単位で電源をｏｆｆ／ｏｎをする際に有効である。年間スケジューラは、主に休日の電源制御を行なう場合に有効である。
【００２７】
ここで、ナースコールシステム１１を収容可能とするＬ／Ｔ（８回路ナースコール）１０、音声ガイダンス、案内や録音再生を行なうＬ／Ｔ（音声案内・録音再生）１２、局線を直通電話機に切替えるＬ／Ｔ（４回路停電切替）１７、ビルのフロア２０の照明監視などビル管理システム１９からの情報を検出するＬ／Ｔ（外部接点駆動・検出）１８といった緊急時に運用するパッケージは、電源制御の設定に関わらず、電源制御を行なうと弊害が多いことから電源制御の扱いを対象外のパッケージ種別としている。したがって、交換機のどのスロットに収容されたとしてもスケジューラによる制御からは除外されるとともに、省電力化を行なわない。これらの対象外かの判定について、図２に示した、ライン・トランク パッケージの識別コードから中央処理制御部２が判断する。
【００２８】
図５を参照して、ライン・トランク パッケージの電源制御を説明する。図５において、中央処理制御部２は、ＭＰＵ２１０と、内蔵スケジューラ２２０と、ＲＡＭ２３０と、ＦＲＯＭ（Flash Read Only Memory）２４０と、内部バス２５０とを含む。内部バス２５０は、ＭＰＵ２１０と、内蔵スケジューラ２２０と、ＦＲＯＭ２４０とを相互接続する。ＲＡＭ２３０は、ＭＰＵ２１０と直接接続されている。ＭＰＵ２１０は、内蔵スケジューラ２２０に保持するスケジュールに基づいて、電源ｏｆｆ／ｏｎ信号をライン・トランク制御部３に出力する。ライン・トランク パッケージ５０は、他電源生成回路５９と、電源切替え回路５８を含む。他電源生成回路５９は、−４８Ｖから＋５Ｖ、＋３．３Ｖ、１．２Ｖを生成し、ライン・トランク パッケージ５０の内部に供給する。電源切替え回路５８は、他電源生成回路５９のｏｆｆ／ｏｎを制御する。ライン・トランク制御部３は、中央処理制御部２からの電源ｏｆｆ／ｏｎ信号に基づいて、ライン・トランク パッケージ５０の電源切替え回路５８を制御する。ライン・トランク制御部３は、また、電源切替え回路５８の電源である＋３．３Ｖを供給する。
【００２９】
中央処理制御部２、ライン・トランク制御部３、ライン・トランク パッケージ５０は、電源部２１より供給される電源（−４８Ｖ）で、それぞれ動作する。中央処理制御部２およびライン・トランク制御部３は、制御部のため、電源ｏｆｆ／ｏｎをすることができない回路構成である。一方、ライン・トランク パッケージ５０は、外部より供給される電源（−４８Ｖ）からパッケージ内部で使用する他電源を他電源生成回路５９にて生成する。ライン・トランク制御部３からの電源ｏｆｆ／ｏｎ信号により、電源切替え回路５８は、他電源生成回路５９のｏｆｆ／ｏｎ制御を行なう。
【００３０】
図６を参照して、ＢＳ８および構内ＰＨＳ９を収容するＬ／Ｔ（８回路２Ｗディジタル無線）７の電源ｏｆｆ／ｏｎのシーケンスを説明する。図６において、ＰＨＳライン・トランク パッケージ７がライン・トランク制御部３のスロットに挿入されると、ＰＨＳライン・トランク パッケージ７は、スロット番号、パッケージ識別コード、電源制御コードをライン・トランク制御部３へ通知する（Ｓ１）。ライン・トランク制御部３は、スロット番号、パッケージ識別コード、電源制御コードを中央処理制御部２に通知する（Ｓ２）。中央処理制御部２は、電源制御が有効か判定する（Ｓ３）。中央処理制御部２は、無効（Ｎｏ）なら終了する。有効（Ｙｅｓ）であれば、中央処理制御部２は、内蔵スケジューラの設定された時間になる前に緊急メーッセージ通報指示（一斉同報）をライン・トランク制御部３へ通知する（Ｓ４）。
【００３１】
ライン・トランク制御部３は、ライン・トランク パッケージ７へＢＳ８を通じてＰＨＳ端末９へ「セツデン」表示および「セツデンエリア情報」を行なう指示を行なう（Ｓ５）。それを受けたＢＳ８は、自エリアのＰＨＳ９へ通知する。この節電エリア情報は、トランク番号や、トランクと紐付けされたフロア番号、トランクと紐付けされたフロア内のエリア番号などである。
【００３２】
また、この一斉同報は、スケジューラにより節電状態にしようとするＬ／Ｔ（８回路２Ｗディジタル無線）トランク７のみならず、他のＬ／Ｔ（８回路２Ｗディジタル無線）トランクに収容しているＢＳ８全てを経由して、当該ＢＳ８へ位置登録している全てのＰＨＳ端末９へ通知するものである。
【００３３】
これを行なうことで、交換機１に収容されている全てのＰＨＳ９が、どのエリアが省電力モードに移行していて利用不可の状態なのか一目で認識できるようになる。
【００３４】
内蔵スケジューラのｏｆｆ設定時刻およびビル管理システムの接点情報（ｏｆｆ）を検出すると、中央処理制御部２は、通話呼があるか判定する（Ｓ６）。通話呼があれば（Ｙｅｓ）、中央処理制御部２は、通話が終わるまで待機する。通話呼が無い場合（Ｎｏ）、中央処理制御部２は、Ｌ／Ｔ電源制御（電源ｏｆｆ）をライン・トランク制御部３へ通知する（Ｓ７）。
【００３５】
ライン・トランク制御部３は、ライン・トランク パッケージ７に電源ｏｆｆの指示をする（Ｓ８）。ライン・トランク パッケージ７が電源ｏｆｆとなるとＢＳ８への給電が停止する。
【００３６】
内蔵スケジューラにより電源ｏｎおよびビル管理システムの接点情報（ｏｎ）を検出するすると、中央処理制御部２は、緊急メーッセージ通知指示にて一斉同報機能を利用しライン・トランク制御部３に通知する（Ｓ９）。ライン・トランク制御部３は、ＰＨＳ端末９へ「セツデン」「セツデンエリア情報」表示のｏｆｆを行なう（Ｓ１０）。
【００３７】
更に、中央処理制御部２は、Ｌ／Ｔ電源制御（電源ｏｎ）をライン・トランク制御部３へ通知する（Ｓ１４）。ライン・トランク制御部３は、ライン・トランク パッケージ７の電源ｏｎを行なう（Ｓ１５）。電話交換機システム１００は、これらの一連のシーケンスにて電源ｏｆｆ／ｏｎをして消費電力の低減を図る。
【００３８】
図７を参照して、多機能電話機（ＭＦＴ）を収容するＬ／Ｔ（１６回路ＭＦＴ）４の電源ｏｆｆ／ｏｎのシーケンスを説明する。図７において、ＭＦＴライン・トランク パッケージ４−２がライン・トランク制御部３のスロットに挿入されると、ＭＦＴライン・トランク パッケージ４−２は、スロット番号、パッケージ識別コード、電源制御無効をライン・トランク制御部３へ通知する（Ｓ２１）。ライン・トランク制御部３は、その情報を中央処理制御部２へ通知する（Ｓ２２）。中央処理制御部２は、電源制御を判定するがこの場合は無効のため、制御を行なわない。
【００３９】
また、ＭＦＴライン・トランク パッケージ４−１がライン・トランク制御部３のスロットに挿入されると、ＭＦＴライン・トランク パッケージ４−１は、スロット番号、パッケージ識別コード、電源制御有効をライン・トランク制御部３へ通知する（Ｓ２３）。ライン・トランク制御部３は、その情報を中央処理制御部２へ通知する（Ｓ２４）。この場合も、中央処理制御部２は、電源制御の判定を行なう（Ｓ２５）。無効であれば（Ｎｏ)、中央処理制御部２は、処理を終了する。有効のとき（Ｙｅｓ）、内蔵スケジューラの設定時間またはビル管理システムの接点情報を検出すると、中央処理制御部２は、通話呼があるか？判定する（Ｓ２６）。中央処理制御部２は、通話呼があれば（Ｙｅｓ）、通話が終わるまで待機する。
【００４０】
通話呼が無い場合（Ｎｏ）、中央処理制御部２は、Ｌ／Ｔ電源制御（電源ｏｆｆ）をライン・トランク制御部３へ通知する（Ｓ２７）。ライン・トランク制御部３は、ライン・トランク パッケージ４−１に電源ｏｆｆの指示をする（Ｓ２８）。
【００４１】
内蔵スケジューラにより電源ｏｎおよびビル管理システムの接点情報（ｏｎ）を検出するすると、中央処理制御部２は、Ｌ／Ｔ電源制御（電源ｏｎ）をライン・トランク制御部３へ通知する（Ｓ２９）。ライン・トランク制御部３は、ライン・トランク パッケージ４−１の電源ｏｎを行なう（Ｓ３０）。これらの一連のシーケンスにて、電話交換機システム１００ｈ、電源ｏｆｆ／ｏｎをして消費電力の低減図る。
【００４２】
図８を参照して、公衆網に接続するアナログ端末を収容するＬ／Ｔ（８回路局線）、ディジタル端末を収容するＬ／Ｔ（１２回路ＩＳＤＮ）、Ｌ／Ｔ（１．５Ｍ局線）の電源ｏｆｆ／ｏｎのシーケンスを説明する。
【００４３】
各ライン・トランク パッケージ１４−１６は、スロット番号、パッケージ識別コード、電源制御コードをライン・トランク制御部３へ通知する（Ｓ３１、Ｓ３３、Ｓ３５）。ライン・トランク制御部３は、それらの情報を中央処理制御部２へ通知する（Ｓ３２、Ｓ３４、Ｓ３６）。中央処理制御部２は、電源制御を判定する（Ｓ３７）。この場合、Ｌ／Ｔ（１２回路ＩＳＤＮ）１５、Ｌ／Ｔ（１．５Ｍ局線）１６は、電源制御無効のため、制御は行なわない。
【００４４】
Ｌ／Ｔ（８回路局線）１４は、電源制御が有効なため、内蔵スケジューラの設定時間またはビル管理システムの接点情報を検出すると、中央処理制御部２は、電源制御有りか？判定して（Ｓ３７）、Ｙｅｓとなる。中央処理制御部２は、通話呼があるか判定する（Ｓ３８）。Ｙｅｓのとき、中央処理制御部２は、通話が終わるまで待機する。通話呼が無い場合、中央処理制御部２は、公衆網（ＰＳＴＮ）１３へ閉塞信号を通知する（Ｓ３８）。なお、公衆網１３へ閉塞指示を送ることにより、公衆網１３側から着信を抑制できるので公衆網１３側の負荷低減が図られる。
【００４５】
その後、中央処理制御部２は、Ｌ／Ｔ電源制御（電源ｏｆｆ）をライン・トランク制御部３へ通知する（Ｓ３９）。ライン・トランク制御部３は、ライン・トランク パッケージ１４に電源ｏｆｆの指示をする（Ｓ４０）。
【００４６】
内蔵スケジューラにより電源ｏｎまたはビル管理システムの接点情報（ｏｎ）を検出するすると、中央処理制御部２は、Ｌ／Ｔ電源制御（電源ｏｎ）をライン・トランク制御部３へ通知する（Ｓ４１）。ライン・トランク制御部３は、ライン・トランク パッケージ１４の電源ｏｎを行なう（Ｓ４２）。電話交換機システム１００は、これらの一連のシーケンスにて電源ｏｆｆ／ｏｎをして消費電力の低減を図る。
【００４７】
本実施例によれば、専用のシェルフを用いることなく、パッケージ単位で、かつ、パッケージの使用状況に応じた省電力化を行なう電話交換機および電話交換機システムを提供できる。具体的には、シェルフ単位ではなくそれより小さな単位となるライン・トランク パッケージ毎の電源ｏｆｆ／ｏｎを制御するのでシステム構成を事細かにすることが可能となる。設定したスケジューラの時間およびビル管理システム（フロア）情報と連動することで効率良く監視することが可能となる。また、誤ってスケジューラに登録しても、運用に支障がない電話交換機システムとなる。また、自動的に消費電力の低減を図ることが可能な電話交換機を得る。
【符号の説明】
【００４８】
１…電話交換機、２…中央処理制御部：コールサーバ部、３…ライン・トランク制御部、４…Ｌ／Ｔ（１６回路ＭＦＴ）パッケージ、５…ＭＦＴ（多機能電話機）、７…Ｌ／Ｔ（８回路２Ｗディジタル無線）パッケージ、８…ＢＳ、９…ＰＨＳ端末、１０…ナースコールシステム、１１…Ｌ／Ｔ（８回路ナースコール）パッケージ、１２…Ｌ／Ｔ（音声案内・録音再生）パッケージ、１３…公衆網、１４…Ｌ／Ｔ（８回路局線）パッケージ、１５…Ｌ／Ｔ（１２回路ＩＳＤＮ）パッケージ、１６…Ｌ／Ｔ（１．５Ｍ局線）パッケージ、１７…Ｌ／Ｔ（４回路停電切替）パッケージ、１８…Ｌ／Ｔ（外部接点駆動・検出）パッケージ、１９…ビル管理システム、２０…ユーザフロア、２１…電源部、５０…ライン・トランク パッケージ、１００…電話交換機システム、２００…管理テーブル。
【図１】
0005618424.tif 000002
【図２】
0005618424.tif 000003
【図３】
0005618424.tif 000004
【図４】
0005618424.tif 000005
【図５】
0005618424.tif 000006
【図６】
0005618424.tif 000007
【図７】
0005618424.tif 000008
【図８】
0005618424.tif 000009